(57)【特許請求の範囲】
【請求項１】
帯状体の長手方向に沿って複数の孔が順次形成されることで順次隣り合って連続的に並べられたリング部が形成されている補毛用基線体と、該補毛用基線体のリング部を形成しているリング形成ライン部に取り付けられた毛とを含み、該補毛用基線体は、隣り合うリング部間の該隣り合うリング部に共通の、リング形成ライン部の部分にも毛を取り付けることができることを特徴とする補毛具。
【請求項２】
前記補毛用基線体が該補毛用基線体を人体残毛に取り付けるための残毛係留部を有している請求項１記載の補毛具。
【請求項３】
帯状体の長手方向に沿って複数の孔が順次形成されることで順次隣り合って連続的に並べられたリング部が形成されている補毛用基線体からなる補毛用ネットと、該補毛用ネットの補毛用基線体のリング部を形成しているリング形成ライン部に取り付けられた毛とを含み、該補毛用基線体は、隣り合うリング部間の該隣り合うリング部に共通の、リング形成ライン部の部分にも毛を取り付けることができることを特徴とする補毛具。
【請求項４】
前記補毛用ネットの１又は２以上の箇所にベースシート部が設けられ、該ベースシート部に植毛してある請求項３記載の補毛具。
【請求項５】
前記ベースシート部に補毛具付着対象人体部分の残毛を取り付ける残毛係留部を設けてある請求項４記載の補毛具。
【請求項６】
前記ベースシート部は該シート部裏面側へ毛が伸び出るように植毛されている周縁部分を含んでいる請求項４又は５記載の補毛具。
【請求項７】
前記ベースシート部の少なくとも一部が補毛具付着対象人体部分に適合する形状に形成するための塑性変形可能な部材を備えている請求項４、５又は６記載の補毛具。
【発明の詳細な説明】
【０００１】
【産業上の利用分野】
本発明は禿部分、毛の薄くなった部分等に毛を補うための補毛具に関する。
【０００２】
【従来の技術】
人体の禿部、毛の薄くなった部分に補毛する手段としては、該部分の皮膚に直接植毛する、該部分にかつらを付けるという方法が知られている。この他、該部分に毛様の短繊維をふりかけて静電気力で付着させるという方法もある。
しかし、人体皮膚に直接植毛する方法は、それ自体一般人に馴染みがうすいうえ、該植毛行為が医療行為に該当するので、気軽に採用することができない。
【０００３】
また、従来のかつらによるときには、▲１▼かつらを付けた部分を洗うのにかつらをいちいち取り外し、洗浄後、再び装着しなければならないので面倒である、▲２▼かつらの髪形、毛量等は当初から固定されているので、例えば、数箇月かけて目立たないように徐々に増毛することはできない。
毛様の短繊維のふりかけ付着は該繊維が擦り力、強風等にて脱離するという難点がある。
【０００４】
そこで、このような問題を解消する補毛具として、特開平２−２３４９０３号公報記載の補毛具が提案されている。
この補毛具は、人体の補毛が望まれる部分、例えば、頭部に点状に、又は線状に、あるいは線の組み合わせによる面状に、さらにはこれらの組み合わせにより補毛するという考え方に基づくものである。
【０００５】
そして点状に補毛するとの観点から、先ず、一部に小リング部又は小ループが形成され、少なくとも一端が該小リング部又は小ループに通されて閉ループが形成され、この閉ループに人体残毛を通して該閉ループを閉じ締めすることで該残毛に補毛できるという補毛具が提案されている。
さらに進んで、線状、面状に補毛するとの観点から、一本のフィラメント、或いはネット様のフィラメントに毛を取り付けた補毛具も提案されている。
【０００６】
【発明が解決しようとする課題】
しかしながら、かかる補毛具のうち、一本のフィラメント或いはネット様のフィラメントに毛を取り付けた補毛具では、図８に示すように、毛Ｈは連続するフィラメントｆ上に順次並べ取り付けられることになり、フィラメント単位長さ当たりに取り付け得る毛の数が、一本一本の毛の太さに応じた数に限定され、その結果、所望の毛数を備えた補毛具を提供し難いという問題がある
そこで本発明は、前述の植毛、かつら、毛様短繊維のふりかけ付着における問題を解消するとともに、多数の毛を備えることができる補毛具を提供することを目的とする。
【０００７】
【課題を解決するための手段】
本発明は前記目的に従い、帯状体の長手方向に沿って複数の孔が順次形成されることで順次隣り合って連続的に並べられたリング部が形成されている補毛用基線体と、該補毛用基線体のリング部を形成しているリング形成ライン部に取り付けられた毛とを含み、該補毛用基線体は、隣り合うリング部間の該隣り合うリング部に共通の、リング形成ライン部の部分にも毛を取り付けることができる補毛具を提供するものである。
また、本発明は、かかる補毛用基線体からなる補毛用ネットにおける該補毛用基線体のリング形成ライン部に毛を取り付けた補毛具も提供する。
【０００８】
本発明に係る前記各補毛具の毛は人毛でも人工毛でもよい。人工毛としては既に知られている各種材質のものを適宜採用でき、人工毛を採用すると、品質の安定化の点で有利である。
前記補毛用基線体の材質も各種のものが考えられるが、何れにしても人体に害のないもの、人の汗、脂質等により変質しない又は変質しにくいものが良い。
【０００９】
該基線体は柔軟で必要強度を有し、皮膚への取り付け作業が困難にならない範囲でできるだけ細径であることが望ましい。
前記補毛用基線体のリング部の中空部を形成しているリング形成ライン部に毛を取り付けた補毛具の場合、該基線体には、必要に応じ、これを付着させる人体部分の残毛を取り付けるための１又は２以上の残毛係留部を設けることができる。この係留部としては、ループ状のもの、フック状のもの等様々考えることができる。
【００１０】
前記補毛用ネットの場合、該ネットの網目の寸法は、該ネットを人体部分に被せたとき、該人体部分の残毛が該ネット網目から外へ引き出せる寸法が望ましい。該目の寸法としては、補毛の密度をどの程度にするかということ、及び残毛の引き出し易さを考慮すれば、目の形を矩形とした場合なら、約０．５ｃｍ×０．５ｃｍ〜４ｃｍ×４ｃｍの範囲のものを例示できる。なお、ネットの目の形としては正方形、長方形に限らず、円形、楕円形等様々の形を考えることができ、要するにフィラメントが交差するように配置されているものであればよい。また、交差している部分は必ずしも互いに結合されている必要はない。
【００１１】
前記補毛用ネットに毛を取り付けた補毛具の場合、該ネットの１又は２以上の箇所には、一つには補毛具の形状保持という目的でベースシート部を設けることができる。該ベースシート部にはさらに補毛具付着対象人体部分の残毛を取り付ける残毛係留部を設けることができる。この係留部もループ状のもの、フック状のもの等様々考えることができる。
【００１２】
また、該ベースシート部は該シート部裏面側へ毛が伸び出るように植毛されている周縁部分を含むことができる。そのような周縁部分は、一般に考えられるのは、人頭の額側の部分にあたる部分であるが、そこに限定されない。
前記ベースシート部の少なくとも一部は、補毛具付着対象人体部分に適合する形状に形成するための塑性変形可能な部材を備えていることが望ましい。かかる部材を備える部分として一般的に考えられるのは、人頭の額側の部分にあたる部分であるが、そこに限定されない。前記塑性変形可能な部材としては、各種材料の各種形状、態様のものを考えることができるが、例えば、熱可塑性合成樹脂製の細棒、ネット、帯状体、手指等で変形させ得る金属の細棒、ネット、帯状体を挙げることができる。
【００１３】
【作用】
前記補毛用基線体を単独で用いるときは、そのリング部を形成するリング形成ライン部（より詳しく言えば、リング部の中空部を形成するリング形成ライン部）に所望本数の毛を取り付ける。この取り付けは、リング形成ライン部への毛の接着（例えば、医療用接着剤による）、結びつけ、さらに必要に応じ、その結びつけを接着固定する等により行う。隣り合うリング部間の該隣り合うリング部に共通の、リング形成ライン部の部分にも毛を取り付けることができる。かくして、補毛用基線体に毛を取り付けた補毛具が得られる。この補毛具を人体の所望部分に配置してそこに取り付けることで補毛できる。
かかる補毛用基線体は、帯状体の長手方向に沿って複数の孔が順次形成されることで順次隣り合って連続的に並べられたリング部が形成されているものであり、該リング部は、一本又は複数本の線体を編んで形成した伸縮性に富む補毛用基体に比べると毛の取り付けにあたって変形しにくく、毛の取り付けをそれだけ容易に行うことができる。また、隣り合うリング部間の該隣り合うリング部に共通の、リング形成ライン部の部分にも毛を取り付けることができるので、それだけ毛を豊富に取り付けることができる。
【００１４】
この補毛具の取り付けは、▲１▼接着剤（例えば医療用のもの）を用いて全体に又は部分的に接着する、▲２▼補毛を要する人体部分の残毛を絡みつける、結びつける等する、▲３▼接着剤の使用とともに人体残毛を絡みつける等する、▲４▼さらに必要に応じ基線体に絡みつける等した毛を該基線体に接着剤で留める等により行う。
前記補毛用ネットについては、これを構成する補毛用基線体に前述と同様にして所望数の毛を取り付けて補毛具とできる。この補毛具は人体の所望部分に配置してそこに取り付けることで補毛できる。この取り付けは前記と同様にして行える。
【００１５】
この補毛具にベースシート部が設けられているときには、該ベースシート部を利用して両面接着テープ、接着剤等にて取り付け可能である。該ベースシート部が残毛係留部を有するときには、補毛具付着対象人体部分の残毛を該係留部に絡みつける、結びつける等できる。また、それだけでは不十分であるとか、より確実に取り付けたいときには、接着剤で該係留部分に残毛を留めてもよい。
【００１６】
ベースシート部が備わっていないときには、ネットを構成する補毛用基線体やそれに設けることができる残毛係留部等を利用して取り付けることができる。
該ベースシート部が塑性変形可能な形状セット用の部材を備えているときには、該部材を塑性変形させて、該部材が備わっているベースシート部分を該部分があたる人体部分の形状に適合させ得る。
【００１７】
【実施例】
以下、本発明の実施例を図面に基づいて説明する。
図１は本発明に係る補毛具を提供するための補毛用基線体の１例を示しており、同図中、（Ａ）図はその平面図であり、（Ｂ）図は一部拡大平面図である。この基線体１１は合成樹脂（例えばアクリル樹脂、ポリエステル）製の耐熱温度約１５０℃、幅０．５〜１０ｍｍ、厚さ０．５〜１０ｍｍの細幅帯からなる線体１１１に等間隔に孔（中空部）１１２を順次形成することで順次隣り合って連続して並べられた多数の中空リング部１１３を形成したものである。基線体１１の両端にはリング形状の残毛係留部１３を形成してある。
【００１８】
図２の（Ａ）図は補毛用基線体１１の各リング部１１３に対し、その中空部を囲むリング形成ライン部１１３ａに人工毛１２を複数本取り付けてなる補毛具１を示している。図２の（Ｂ）図はこの補毛具の一部拡大図である。
人工毛１２は合成樹脂（例えば、アクリル繊維、ポリエステル繊維）製で、耐熱温度約１５０℃であり、人毛同様に整髪、髪乾燥等に用いるヘアドライヤ処理が可能である。
【００１９】
この人工毛１２の基線体１１への取り付けは図２の（Ｂ）図に示すように行われる。すなわち、一つには一本の連続する人工毛１２（ａ１）の中間部を二つ折りして小ループａ２を形成し、該小ループを孔１１２に通したのち、該小ループに毛ａ１の両端ａ３、ａ４を通してリング形成ライン部１１３ａを周る閉ループａ５を形成し、このループを閉じ締めし、これを接着剤、例えば医療用瞬間接着剤にて固定する。
【００２０】
また、一つには、一本の連続する人工毛１２（ｂ１）の中間部に結び目を作って小リング部ｂ２とし、この毛を孔１１２に通したのち、該リング部に毛ｂ１の一端ｂ３を通して閉ループｂ４を形成し、このループを閉じ締めして接着剤で固定する。
また、図２（Ｂ）に示すように、隣り合うリング部間に位置する両リング部に共通の、リングライン形成部の部分にも毛を取り付けることができる。
この補毛具１は、例えば図３に示すように、人頭の禿部又は毛が薄くなった部分（補毛具付着対象部分）１０に配置して、接着剤、例えば医療用瞬間接着剤にて部分的に付着させることができる。また、該接着とともに、又は接着剤による接着に代えて部分１０の残毛５を基線体１１の残毛係留部１３に絡ませて取り付けることもできる。さらに必要に応じ、絡ませた毛を接着剤にて係留部１３に固定させてもよい。また、残毛５を基線体１１の係留部の無い部分１１ａ等に絡ませて付けてもよい。
【００２１】
かくして人体の所望部分１０にライン状に補毛される。なお、図３では、分かり易くするため、基線体１１に取り付けた毛１２の多くを省略してある。
補毛具１の使用数を徐々に増やすことにより、又は人体に取り付けた基線体１１にさらに人工毛１２を増やし固定することにより、あるいはこれらの組み合わせにより自然に近い状態で増毛させることができる。
【００２２】
複数の補毛具１を取り付ける場合、それらの基線体１１の配置は並行、交差等任意に決定できる。
なお、基線体１１に間隔をあけて人工毛１２を固定すれば、点状ないし基線体長より短いライン状に補毛することも可能である。
なお、補毛具基線体としては、図１に示すもののほか、参考までに図４の（Ａ）図、（Ｂ）図、（Ｃ）図に示すものも例示できる。
【００２３】
これら基線体はいずれも直径０．１〜０．５ｍｍ程度の範囲から選ばれたアクリル繊維、ポリエステル繊維等の合成樹脂モノフィラメントからなっており、（Ａ）図のものは、１本のフィラメントＦを二つ折りし、その途中の複数箇所及び両端同士を相互に熱溶着又は接着剤にて接着し、多数の中空リング部ＲＡを連続形成したものである。
【００２４】
（Ｂ）図のものは複数の中空リング部ＲＢを鎖状に連結したものである。
（Ｃ）図のものは、一本の又は複数本のフィラメントＦを編みつつ、多数の中空リング部ＲＣを連続させたものである。
図５及び図６は、図１或いは図４の（Ａ）図、（Ｂ）図又は（Ｃ）図に示す補毛用基線体１１を用いて形成した補毛用ネット２１及びこのネットに毛を取り付けてなる補毛具２を併せて示している。図５は補毛具の平面図であり、図６は同底面図である。
【００２５】
この補毛具２は、頭髪補毛用のもので、複数本の基線体１１が交差するように組まれてなる補毛用ネット２１を含み、該基線体１１には図２の補毛具１と同様にして人工毛１２が多数固定されている。基線体１１の交差部分は互いに結合されている。
ネット２１の網目は略正方形であり、該寸法は約１ｃｍ×１ｃｍ〜１．５ｃｍ×１．５ｃｍの範囲にある。
【００２６】
ネット２１の周囲には保形用兼残毛係留用のベースシート部３が設けられている。
該ベースシート部３は植毛（１２ａ）した柔軟な布３１の裏面に前記ネット２１の周端部をあてがって該裏面を合成樹脂（例えばポリウレタン）３２でコーティングするとともに、同コーティング材料で毛髪の分け目にあたる部分に跨がる人工皮膚３３を形成してなるものである。皮膚３３には分け目形成が可能なように植毛（１２ａ）されている。毛１２ａは毛１２と同材質のものである。布３１のうち人工皮膚３３に隣合う部分には柔軟な補強用ネット３８が前記コーティング前に配置され、該コーティングによりそこに固定されている。なお、補強用ネット３８は必ずしも必要ではない。毛髪の分け目にあたる部分が不要な場合には、人工皮膚３３を作る必要はない。
【００２７】
該ベースシート部３のうち、両サイド３４、３５から後部３６には前記コーティングに先立って配置されたループの形状の残毛係留部３０が複数設けられている。また、額側の部分３７にはそのような係留部はないが、該部分３７の縁３７１には、シート部表面だけでなく、裏面３ａにも植毛（１２ａ）されている。
さらに、部分３７には前記コーティングに先立って配置された熱可塑性合成樹脂製の細い棒４が複数埋設されている。
【００２８】
ベースシート部３の表面色は頭皮に似せられている。
なお、前記補毛用ネット２１の周囲輪郭形状、該ネットへの人工毛１２の分布や固定量、ベースシート部３の形状やそこの植毛状態等は、補毛具２を取り付ける頭の部分の状態に応じて定められる。
この補毛具２は、図７に示すように、頭の毛の薄い所望部分に配置される。使用に先立って、ベースシート部の一部３７に埋設された棒４を、必要に応じ、それが配置される頭部分の形状にそってエアドライヤ等の熱により塑性変形させる。このように変形させることで該部分３７が風のあおり等により浮き上がることが防止される。補毛具２が頭に配置されたあと、ネット２１の目から頭部残毛５が外側へ引き出され、人工毛１２、１２ａと共に整えられる。
【００２９】
一方、ベースシート部３の係留部３０に残毛５が絡められる。それだけで不十分な場合やより確実に取り付けたいときには、該毛を係留部３０に接着剤にて固定する。
また、ベースシート部３の額側の縁３７１の裏面３ａに設けた毛１２ａが該縁３７１に弧を描いて表面側へ回し伸ばされ、表面側の毛とともに整えられる。かくして、該縁３７１が毛１２ａに覆われ、縁３７１と頭皮との境目が目立ちにくくなる。
【００３０】
なお、図７ではネット２１、ベースシート部３等が見えているが、これは理解を容易にするためにそのように示しただけであって、実際にはそれら部分は残毛５及び人工毛１２、１２ａにより覆いかくされる。
補毛具２の場合も人工毛１２及び（又は）１２ａを徐々に増やすことにより、より自然に近いかたちで次第に増毛させることができる。人工毛１２の増加は補毛具２を頭に取り付けたままの状態でも可能である。
【００３１】
前記何れの補毛具も、頭の所望部分に簡単、確実に装着することができ、装着したまま頭を洗い、洗髪後、全体を櫛といて整えることができる。この際、人工毛は既述のとおり耐熱性を有するので、エアドライヤ等による整髪も可能である。なお、人工毛にかえて人毛を採用する場合にも同様な処理が可能である。
本発明は前記実施例に限定されるものではなく、他にも様々の態様で実施することができる。
【００３２】
例えば、補毛具２において、ベースシート部が無いものも考えられる。そのように構成するときには、ネット２１に直接、適当な残毛係留部を設けることができる。
また、本発明補毛用基線体、補毛用ネット及びこれらを用いた補毛具は男性にも女性にも適用できる。
【００３３】
【発明の効果】
本発明によると、次の利点を有する補毛具を提供することができる。
先ず補毛具を構成する補毛用基線体、補毛用ネットについてみると、該補毛用基線体、該ネットを構成する基線体に多数のリング部を並べ形成して各リング部の中空部を形成するリング形成ライン部に複数の毛を取り付けることができるようにしたから、また、補毛用基線体は、隣り合うリング部間の該隣り合うリング部に共通の、リング形成ライン部の部分にも毛を取り付けることができるようにしたから、これによって所望の補毛量を有する補毛具を提供できる。。
また、補毛用基線体は帯状体の長手方向に沿って複数の孔が順次形成されることで順次隣り合って連続的に並べられたリング部が形成されているものであり、補毛用ネットはかかる補毛用基線体からなり、これら補毛用基線体、補毛用ネットにおけるリング部は、一本又は複数本の線体を編んで形成した伸縮性に富む補毛用基体に比べると毛の取り付けにあたって変形しにくく、前記毛の取り付けをそれだけ容易に行うことができる。
【００３４】
かくして本発明に係る補毛具によると、
(1) 所望の毛数を備え、所望の補毛を十分満足できるように行うことができる。  また、本発明に係る補毛具は、
(2) 皮膚に植毛する場合のような抵抗感がなく気軽に安全に着用することができる、
(3) 着用したまま該着用部分を洗うことができる、
(4) 風や少しの摺擦力では脱離しない、
(5) 点状に、又は線状に、あるいは面状に、例えば数箇月かけて徐々に補毛量を増やす用い方が可能であるから、従来のかつらに比べると自然な状態で増毛が可能であり、しかも、人体に着用したまま増毛することもできる。
(6) 補毛用ネットに毛を保持させる態様の補毛具の場合で、該ネットの１又は２以上の箇所にベースシート部が設けられており、該ベースシート部に植毛されているときには、広い範囲にわたる補毛が可能であり、しかも該ベースシート部の保形性により着用し易い、(7) 前記補毛用基線体、これを用いた補毛用ネットや該ネットに設けたベースシート部に補毛具付着対象人体部分の残毛を付着させる係留部が設けられているときには、装着を一層確実に行うことができる、
(8) 前記ベースシート部を含む補毛具において、該シート部裏面側へ毛が伸び出るように植毛されている周縁部分を含んでいるときには、該裏面側へ伸び出た毛を該周縁部分にループを描いて表側へ回し伸ばすことにより、該周縁部を覆い隠すことができ、該周縁部と皮膚との境がそれだけ目立たなくなる、
(9) 前記ベースシート部を含む補毛具において、そのベースシート部の少なくとも一部が補毛具付着対象人体部分に適合する形状に形成するための塑性変形可能な部材を備えているときには、該部材を該人体部分形状に沿って塑性変形させて、残毛の係留なしで人体皮膚に密に接触維持させることができ、例えば該部分を人頭の無毛の額側に好適に採用できる。
【図面の簡単な説明】
【図１】本発明に係る補毛用基線体の１例を示すもので、図（Ａ）はその平面図、図（Ｂ）はその一部拡大図である。
【図２】本発明に係る補毛具の１例を示すもので、図（Ａ）はその側面図、図（Ｂ）はその一部拡大図である。
【図３】図２に示す補毛具の使用状態説明図である。
【図４】図（Ａ）、図（Ｂ）、図（Ｃ）はいずれも本発明に係る補毛用基線体の他の例を示す一部拡大平面図である。
【図５】本発明に係る補毛具の他の例の平面図である。
【図６】図５に示す補毛具の底面図である。
【図７】図５に示す補毛具の使用状態説明図である。
【図８】従来例の説明図である。
【符号の説明】
１、２  補毛具
１１  補毛用基線体
１１１  線体
１１２  孔
１１３  中空リング部
１１３ａ  リング形成ライン部
１２、１２（ａ１）、１２（ｂ１）、１２ａ  人工毛
１３  残毛係留部
５  残毛
２１  補毛用ネット
３  ベースシート部
３０  残毛係留部
３７１  縁部
３７１ａ  縁部裏面
１０  補毛具付着対象人体部
【図１】
0003615555.tif 000002
【図２】
0003615555.tif 000003
【図３】
0003615555.tif 000004
【図４】
0003615555.tif 000005
【図５】
0003615555.tif 000006
【図６】
0003615555.tif 000007
【図７】
0003615555.tif 000008
【図８】
0003615555.tif 000009